(57)【要約】【課題】無線通信システムにおけるデータ送受信方法及び装置を提案する。【解決手段】本発明は、ＣｏＭＰ（Coordinated Multi-Point transmission/reception）方式を使用する無線通信システムにおけるユーザ端末（User Equipment：ＵＥ）がＣｏＭＰ制御情報が含まれたダウンリンク制御情報（Downlink Control Information：ＤＣＩ）を受信し、上記ＣｏＭＰ制御情報に含まれた多数のセルの各々で使われる開始位置情報に基づいて、無線資源上のデータチャンネルの開始位置を判断し、上記判断された開始位置で上記多数のセルからデータを受信する。【選択図】図８
2018014768.tif 000002
【特許請求の範囲】
【請求項１】
無線通信システムにおける受信機がデータを受信する方法であって、
複数のリソース要素（ＲＥ）マッピングパラメータセットを含む構成情報を受信するステップと、
物理ダウンリンク制御チャンネル（ＰＤＣＣＨ）で前記複数のＲＥマッピングパラメータセットのうち一つを示す情報フィールドを含む制御情報を受信するステップと、
前記制御情報内の前記情報フィールドに基づいて、前記構成情報に含まれる前記複数のＲＥマッピングパラメータセットの中から物理ダウンリンク共有チャンネル（ＰＤＳＣＨ）に対する一つのパラメータセットを決定するステップと、
前記決定されたパラメータセットに基づいて、前記ＰＤＳＣＨでデータを受信するステップとを含み、
ここで、前記複数のＲＥマッピングパラメータセットの各々は、一つのサブフレーム内でＰＤＳＣＨ開始位置シンボルの指標を含むことを特徴とするデータ受信方法。
【請求項２】
前記複数のＲＥマッピングパラメータセットの各々は、
セル特定基準信号（ＣＲＳ）リソース要素の位置及びＭＢＳＦＮサブフレーム構成情報に関する少なくとも一つの情報を含むことを特徴とする請求項１に記載の方法。
【請求項３】
前記制御情報は、Ｃ−ＲＮＴＩによりスクランブリングされたサイクリックリダンダンシーチェック(ＣＲＣ)を有する制御メッセージを含むことを特徴とする請求項１に記載の方法。
【請求項４】
前記制御情報内の前記情報フィールドは、２ビットであることを特徴とする請求項１に記載の方法。
【請求項５】
前記構成情報は、上位階層シグナリングにより受信されることを特徴とする請求項１に記載の方法。
【請求項６】
無線通信システムにおける送信機がデータを送信する方法であって、
複数のリソース要素（ＲＥ）マッピングパラメータセットを含む構成情報を送信するステップと、
物理ダウンリンク制御チャンネル（ＰＤＣＣＨ）で前記複数のＲＥマッピングパラメータセットのうち一つを示す情報フィールドを含む制御情報を送信するステップと、
前記制御情報内の前記情報フィールドに基づいて、前記構成情報に含まれる前記複数のＲＥマッピングパラメータセットの中から物理ダウンリンク共有チャンネル（ＰＤＳＣＨ）に対する一つのパラメータセットを決定するステップと、
前記決定されたパラメータセットに基づいて、前記ＰＤＳＣＨでデータを送信するステップと、を含み、
ここで、前記複数のＲＥマッピングパラメータセットの各々は、一つのサブフレーム内でＰＤＳＣＨ開始位置シンボルの指標を含むことを特徴とするデータ送信方法。
【請求項７】
前記複数のＲＥマッピングパラメータセットの各々は、セル特定基準信号（ＣＲＳ）リソース要素の位置及びＭＢＳＦＮサブフレーム構成情報に関する少なくとも一つの情報を含むことを特徴とする請求項６に記載の方法。
【請求項８】
前記制御情報は、Ｃ−ＲＮＴＩによりスクランブリングされたＣＲＣを有する制御メッセージを含むことを特徴とする請求項６に記載の方法。
【請求項９】
前記制御情報内の前記情報フィールドは、２ビットであることを特徴とする請求項６に記載の方法。
【請求項１０】
前記構成情報は、上位階層シグナリングにより送信されることを特徴とする請求項６に記載の方法。
【請求項１１】
無線通信システムにおける受信機であって、
複数のリソース要素（ＲＥ）マッピングパラメータセットを含む構成情報を受信し、物理ダウンリンク制御チャンネル（ＰＤＣＣＨ）で前記複数のＲＥマッピングパラメータセットのうち一つを示す情報フィールドを含む制御情報を受信し、前記情報フィールドにより決定された一つのパラメータセットに基づいて、物理ダウンリンク共有チャンネル（ＰＤＳＣＨ）でデータを受信する送受信部と、
前記受信された制御情報内の前記情報フィールドに基づいて、前記構成情報に含まれる前記複数のＲＥマッピングパラメータセットの中から前記ＰＤＳＣＨの信号を受信するために前記一つのパラメータセットを決定する制御部と、を含み、
ここで、前記複数のＲＥマッピングパラメータセットの各々は、一つのサブフレーム内でＰＤＳＣＨ開始位置シンボルの指標を含むことを特徴とする受信機。
【請求項１２】
前記複数のＲＥマッピングパラメータセットの各々は、セル特定基準信号（ＣＲＳ）リソース要素の位置及びＭＢＳＦＮサブフレーム構成情報に関する少なくとも一つの情報を含むことを特徴とする請求項１１に記載の受信機。
【請求項１３】
前記制御情報は、Ｃ−ＲＮＴＩによりスクランブリングされたサイクリックリダンダンシーチェック(ＣＲＣ)を有する制御メッセージを含むことを特徴とする請求項１１に記載の受信機。
【請求項１４】
前記制御情報内の前記情報フィールドは、２ビットであることを特徴とする請求項１１に記載の受信機。
【請求項１５】
前記構成情報は、上位階層シグナリングにより受信されることを特徴とする請求項１１に記載の受信機。
【請求項１６】
無線通信システムにおける送信機であって、
複数のリソース要素（ＲＥ）マッピングパラメータセットを含む構成情報を送信し、物理ダウンリンク制御チャンネル（ＰＤＣＣＨ）で前記複数のＲＥマッピングパラメータセットのうち一つを示す情報フィールドを含む制御情報を送信し、前記情報フィールドにより決定された一つのパラメータセットに基づいて、物理ダウンリンク共有チャンネル（ＰＤＳＣＨ）でデータを送信する送受信部と、
前記制御情報内の前記情報フィールドに基づいて、前記構成情報に含まれる前記複数のＲＥマッピングパラメータセットの中から前記ＰＤＳＣＨの信号を送信するために前記一つのパラメータセットを決定する制御部と、を含み、
ここで、前記複数のＲＥマッピングパラメータセットの各々は、一つのサブフレーム内でＰＤＳＣＨ開始位置シンボルの指標を含むことを特徴とする送信機。
【請求項１７】
前記複数のＲＥマッピングパラメータセットの各々は、セル特定基準信号（ＣＲＳ）リソース要素の位置及びＭＢＳＦＮサブフレーム構成情報に関する少なくとも一つの情報を含むことを特徴とする請求項１６に記載の送信機。
【請求項１８】
前記制御情報は、Ｃ−ＲＮＴＩによりスクランブリングされたサイクリックリダンダンシーチェック(ＣＲＣ)を有する制御メッセージを含むことを特徴とする請求項１６に記載の送信機。
【請求項１９】
前記制御情報内の前記情報フィールドは、２ビットであることを特徴とする請求項１６に記載の送信機。
【請求項２０】
前記構成情報は、上位階層シグナリングにより受信されることを特徴とする請求項１６に記載の送信機。
【発明の詳細な説明】
【技術分野】
【０００１】
本発明は、本発明は無線通信システムにおけるデータ送受信方法及び装置に関し、より詳しくは、使用可能な無線資源に関する情報を提供し、データ送信のために使われる無線資源を正確に判断できるようにする方法及び装置に関する。
【背景技術】
【０００２】
移動通信システムは、初期の音声関連サービスの提供を脱して、データサービス及びマルチメディアサービス提供のために、高速、高品質の無線パケットデータ通信システムに発展している。最近、３ＧＰＰのＨＳＤＰＡ（High Speed Downlink Packet Access）、ＨＳＵＰＡ（High Speed Uplink Packet Access）、ＬＴＥ（Long Term Evolution）、ＬＴＥ−Ａ（Long Term Evolution Advanced）、３ＧＰＰ２のＨＲＰＤ（High Rate Packet Data）、そしてＩＥＥＥの８０２．１６など、多様な移動通信標準が高速、高品質の無線パケットデータ転送サービスをサポートするために開発された。特に、ＬＴＥシステムは高速無線パケットデータ転送を効率良くサポートするために開発されたシステムであって、多様な無線接続技術を活用して無線システム容量を最大化する。ＬＴＥ−Ａシステムは、ＬＴＥシステムの進歩した無線システムであって、ＬＴＥと比較して向上したデータ転送能力を有している。
【０００３】
ＨＳＤＰＡ、ＨＳＵＰＡ、ＨＲＰＤなどの現存する３世代の無線パケットデータ通信システムは、転送効率を改善するために、適応変調及び符号（Adaptive Modulation and Coding；以下、ＡＭＣ）方法とチャンネル感応スケジューリング方法などの技術を用いる。上記のＡＭＣ方法を活用すれば、送信機はチャンネル状態によって転送するデータの量を調節することができる。即ち、チャンネル状態が良くなければ、転送するデータの量を減らして受信誤り確率を所望の水準に合せて、チャンネル状態が良ければ、転送するデータの量を増やして受信誤り確率は所望の水準に合せながらも多い情報を効果的に転送することができる。上記のチャンネル感応スケジューリング資源管理方法を活用すれば、送信機は多数のユーザのうちからチャンネル状態が優れるユーザを選択的にサービスするので、一ユーザにチャンネルを割り当てて、サービスすることに比べてシステム容量が増加する。このような容量増加を多重ユーザダイバーシティ（Multi-user Diversity）利得という。要するに、上記のＡＭＣ方法とチャンネル感応スケジューリング方法は、受信機から部分的なチャンネル状態情報をフィードバック（feedback）を受けて最も効率的であると判断される時点に適切な変調及び符号技法を適用する方法である。
【０００４】
上記のようなＡＭＣ方法は、ＭＩＭＯ（Multiple Input Multiple Output）転送方式と共に使われる場合、転送される信号の空間レイヤ（spatial layer）の個数またはランク（rank）を決定する機能も含むことができる。この場合、ＡＭＣ方法は最適のデータレート（data rate）を決定することに単純に符号化率と変調方式のみを考えず、ＭＩＭＯを用いて幾つのレイヤに転送するかも考慮するようになる。
【０００５】
最近、２世代と３世代の移動通信システムで使われていた多重接続方式であるＣＤＭＡ（Code Division Multiple Access）を次世代システムでＯＦＤＭＡ（Orthogonal Frequency Division Multiple Access）に転換しようとする研究が活発に進められている。３ＧＰＰと３ＧＰＰ２は、ＯＦＤＭＡを使用する進化システムに関する標準化を進行し始めた。ＣＤＭＡ方式に比べてＯＦＤＭＡ方式で容量増大を期待することができると知られている。ＯＦＤＭＡ方式で容量増大を生むさまざまな原因のうちの１つが周波数軸上でのスケジューリング（Frequency Domain Scheduling）を遂行することができるということである。チャンネルの経時変化の特性によってチャンネル感応スケジューリング方法により容量利得を得たように、チャンネルが周波数によって他の特性を活用すれば、より多い容量利得を得ることができる。
【０００６】
一般的に、セルラー移動通信システムは限定された地域に複数個のセルを構築することによってなされる。各セルには該当セル内での移動通信を専担する基地局装備がセル領域の中央に位置するようになる。上記基地局装備には、無線信号を転送するアンテナ及び信号処理部分があり、セルの中央でセル内のＵＥに移動通信サービスを提供する。この際、一般的に１つのＵＥは１つの基地局からデータを受信するｎｏｎ−ＣｏＭＰ（non-Coordinated Multi-Point Transmission/Reception）方式を用いるようになる。
【０００７】
これと対比される転送方式には、複数個の基地局が１つのＵＥに転送を遂行するＣｏＭＰ方式がある。ＣｏＭＰ方式は、同一な周波数領域で送受信する複数個の転送地点及び受信地点が互いに協力してＵＥに一層向上した送受信性能を提供することが目的である。ＣｏＭＰ方式が使われる場合、１つのＵＥは複数個の基地局から信号を受信することができるので、基地局から相対的に遠くに位置したＵＥに一層向上したデータ転送速度のサービスをサポートできるようになる。
【０００８】
一方、ＣｏＭＰ方式が使われる場合、１つのＵＥにデータを転送するセルは該当セルを制御する中央集中型制御機のスケジューリングによって変更できる。各セルでデータを転送するために使われる無線資源は互いに相異する。従って、ＵＥはデータ複号化時、該当無線資源に対する情報を知らなければならない。仮に、ＵＥが該当無線資源に対する情報を知ることができなければ、ＵＥはデータを成功的に復元させることができない。従って、従来にはＣｏＭＰ方式が使われる無線通信システムにおいて、ＵＥに各セルで使用可能な無線資源に対する情報を提供することによって、ＵＥがデータ転送のために使われる無線資源を正確に判断することができるようにする方案が要求されている。
【先行技術文献】
【特許文献】
【０００９】
【特許文献１】国際公開第２０１０／０１３９５９号
【特許文献２】国際公開第２０１１／０３８４０５号
【非特許文献】
【００１０】
【非特許文献１】Panasonic，DCI for Rel-11 CoMP Operations[online]，3GPP TSG-RAN WG1#68b R1-121155，インターネット＜URL:http://www.3gpp.org/ftp/tsg_ran/WG1_RL1/TSGR1_68b/Docs/R1-121155.zip＞，２０１２年  ３月２０日
【発明の概要】
【発明が解決しようとする課題】
【００１１】
本発明は、無線通信システムにおけるデータ送受信方法及び装置を提案する。
【００１２】
また、本発明はＣｏＭＰ方式が使われる無線通信システムにおけるデータを転送するために使われた無線資源に対する情報を制御チャンネルを使用してＵＥに送信する方法及び装置を提案する。
【課題を解決するための手段】
【００１３】
本発明で提案する方法は、ＣｏＭＰ（Coordinated Multi-Point transmission/reception）方式を使用する無線通信システムにおけるユーザ端末（User Equipment：ＵＥ）がデータを受信する方法であって、ＣｏＭＰ制御情報が含まれたダウンリンク制御情報（Downlink Control Information：ＤＣＩ）を受信するステップと、上記ＣｏＭＰ制御情報に含まれた多数のセルの各々で使われる開始位置情報に基づいて無線資源上のデータチャンネルの開始位置を判断するステップと、上記判断された開始位置で上記多数のセルからデータを受信するステップとを含む。
【００１４】
本発明で提案する他の方法は、ＣｏＭＰ（Coordinated Multi-Point transmission/reception）方式を使用する無線通信システムにおける基地局がデータを送信する方法であって、多数のセルの各々で使われる無線資源上のデータチャンネルの開始位置情報が含まれたＣｏＭＰ制御情報を生成するステップと、上記ＣｏＭＰ制御情報とダウンリンク制御情報（Downlink Control Information：ＤＣＩ）をユーザ端末（User Equipment：ＵＥ）に送信するステップと、無線資源上のデータチャンネルの開始位置を手始めに上記ＵＥにデータを送信するステップとを含む。
【００１５】
本発明で提案する装置は、ＣｏＭＰ（Coordinated Multi-Point transmission/reception）方式を使用する無線通信システムにおけるユーザ端末（User Equipment：ＵＥ）装置であって、ＣｏＭＰ制御情報が含まれたダウンリンク制御情報（Downlink Control Information：ＤＣＩ）を受信する受信部と、上記ＣｏＭＰ制御情報に含まれた多数のセルの各々で使われる開始位置情報に基づいて、無線資源上のデータチャンネルの開始位置を判断し、上記受信部を制御して上記判断された開始位置で上記多数のセルからデータを受信する制御部とを含む。
【００１６】
本発明で提案する他の装置は、ＣｏＭＰ（Coordinated Multi-Point transmission/reception）方式を使用する無線通信システムにおける基地局装置であって、送信部と、多数のセルの各々で使われる無線資源上のデータチャンネルの開始位置情報が含まれたＣｏＭＰ制御情報を生成し、上記送信部を制御して、上記ＣｏＭＰ制御情報とダウンリンク制御情報（Downlink Control Information：ＤＣＩ）をユーザ端末（User Equipment：ＵＥ）に送信し、無線資源上のデータチャンネルの開始位置を手始めに上記ＵＥにデータを送信する制御部とを含む。
【発明の効果】
【００１７】
本発明は、ＣｏＭＰ方式が使われる無線通信システムにおけるデータを転送するために使われた無線資源に対する情報をＵＥに転送することによって、ＵＥがデータを正確に受信して複号化できるようにし、時間及び周波数資源を効率良く運用できるようにする効果がある。
【図面の簡単な説明】
【００１８】
【図１】ｎｏｎ−ＣｏＭＰ転送方式が使われる移動通信システムの一例を示す図である。
【図２】ＣｏＭＰ転送方式が使われる移動通信システムの一例を示す図である。
【図３】ＤＰＳ方式が使われる場合、ＵＥがＰＤＳＣＨ受信のために使用可能な無線資源を示す図である。
【図４】ＣｏＭＰセットが設定された状態で使用可能な転送方式の一例を示す図である。
【図５】ＣｏＭＰセットが設定された状態で使用可能な転送方式の他の一例を示す図である。
【図６】本発明の実施形態に従うＰＤＣＣＨまたはＥ−ＰＤＣＣＨを用いてＰＤＳＣＨ開始位置を判断する方法を示す順序図である。
【図７】本発明の実施形態に従うＣＩＦとＣｏＭＰのための制御情報を示す図である。
【図８】本発明の実施形態に従うＵＥにＰＤＳＣＨの開始位置を通報する方法を示す順序図である。
【図９】本発明の実施形態に従うＵＥがＰＤＳＣＨ開始位置をページングメッセージまたはシステム情報メッセージを受信するか否かによって異に適用する方法を示す順序図である。
【図１０】本発明の実施形態に従うｅＮＢの内部構成図である。
【図１１】本発明の実施形態に従うｅＮＢの送信部の内部構成図である。
【図１２】本発明の実施形態に従うＵＥの内部構成図である。
【図１３】本発明の実施形態に従うＵＥの受信部の内部構成図である。
【発明を実施するための形態】
【００１９】
以下、添付した図面を参照して本発明の動作原理を詳細に説明する。本発明を説明するに当たって、関連した公知機能あるいは構成に対する具体的な説明が本発明の要旨を曖昧にすることがあると判断される場合、その詳細な説明は省略する。そして、後述する用語は本発明の機能を考慮して定義された用語であって、これは、ユーザ、運用者の意図または慣例などによって変わることができる。したがって、その定義は本明細書の全般に亘る内容に基づいて下されるべきである。
【００２０】
また、本発明の実施形態を具体的に説明するに当たって、ＯＦＤＭ基盤の無線通信システム、特に３ＧＰＰ ＥＵＴＲＡ標準を主な対象とするが、本発明の主要な要旨は類似な技術的背景及びチャンネル形態を有するその他の通信システムにも本発明の範囲を大きく逸脱しない範囲で若干の変形により適用可能であり、これは本発明の技術分野で熟練した技術的知識を有する者の判断により可能である。
【００２１】
本発明は、複数個の基地局が存在する移動通信システムにおいて、１つのＵＥのために１つ以上の基地局が転送を遂行することができるＣｏＭＰ（Coordinated Multi-Point transmission/reception）転送方式が使われる場合、効率の良い時間及び周波数資源の運用のためにデータ信号を転送することに用いられる無線資源を制御チャンネルを用いて通報する方法及び装置を提案する。
【００２２】
図１は、ｎｏｎ−ＣｏＭＰ転送方式が使われる移動通信システムの一例を示す図である。
【００２３】
図１では３個のセル（cell）を含み、各セルの中央に送受信アンテナが配置された移動通信システムを一例として示している。
【００２４】
図１のセル、セル１、セル２には、各々基地局送受信装備が配置されて該当セルに存在するＵＥに対するデータ転送が遂行できる。即ち、セル０の基地局（enhanced Node B；以下、ｅＮＢ）はセル０のサービス領域に存在するユーザ端末（User Equipment；以下、ＵＥ）０にデータ信号１００を転送する。これと共にセル０に使われた時間及び周波数資源と同一な時間及び周波数資源を使用して、セル１のｅＮＢはセル１のサービス領域に存在するＵＥ１にデータ信号１１０を転送し、セル２のｅＮＢはセル２のサービス領域に存在するＵＥ２にデータ信号１２０を転送することができる。セル０で使われる無線資源１３０、セル１で使われる無線資源１４０、及びセル２で使われる無線資源１５０を説明すると、セル０乃至セル２では同一な時間及び周波数資源を用いてデータ信号を転送できることが分かる。一方、セル０、セル１、及びセル２での転送は、各々ｎｏｎ−ＣｏＭＰ転送方式を使用して遂行され、各セルの無線資源は該当セル内のＵＥのみのために使用できる。
【００２５】
図１において、各セルで信号を受信するＵＥは該当セルのｅＮＢが転送する信号のうち、どんな周波数または時間資源が使用可能であるかが予め分かる。一例に、図１のセル０から転送される信号を受信したＵＥは、セル０のｅＮＢが転送する信号のうち、どの位置にＣＲＳ（cell specific reference signal）が転送され、幾つのＯＦＤＭシンボルが制御チャンネルに転送されるかをデータチャンネルＰＤＳＣＨ（Physical Downlink Shared Channel）を受信する前に判断することができる。図１において、セル０、セル１、セル２のｅＮＢから転送される信号毎にＰＤＳＣＨとして使用可能な部分が各々異なることが分かる。図１のＵＥは、ｎｏｎ−ＣｏＭＰ転送を受信する時、何時も固定されたセルから信号を受信する。即ち、セル０で信号を受信するＵＥは、別途の上位シグナリングに基づいた他のセルへのハンドオーバーが遂行されない限り、固定されたセルのみから信号を受信する。
【００２６】
図１のような移動通信システムにおけるダウンリンク転送は、時間領域で制御領域（control region）とデータ領域（data region）とに区分できる。制御領域は、ＰＤＣＣＨ（Physical Downlink Control Channel）、ＰＨＩＣＨ（Physical HARQ Indicator Channel）、ＰＣＦＩＣＨ（Physical Control Format Indicator Channel）などの制御チャンネルを転送することに用いられ、１つのサブフレーム（subframe）内で最も先に転送される１個、２個、３個、４個のＯＦＤＭシンボルに該当する。一方、データ領域は制御領域の直ぐ後のＯＦＤＭシンボルで始まり、データ情報のためのＰＤＳＣＨを転送することに用いられる。１つのサブフレームは、固定された個数のＯＦＤＭシンボルからなっているので、データ領域のサイズは制御領域のサイズによって決定される。一般的に、移動通信システムにおけるＵＥはＰＣＦＩＣＨに乗せた制御情報を通じて制御チャンネルのサイズを判断した後、これを用いてデータ領域のサイズを判断することができる。
【００２７】
図１を参照して前述したように、ｎｏｎ−ＣｏＭＰ転送方式は各セルのｅＮＢ間の協力のない状態で送受信を遂行する。以下、図２を参照して各セルのｅＮＢ間の協力が存在する状態で送受信を遂行するＣｏＭＰ転送方式について説明する。
【００２８】
図２は、ＣｏＭＰ転送方式が使われる移動通信システムの一例を示す図である。
【００２９】
図２を参照すると、ＵＥはセル０とセル２とでＰＤＳＣＨを受信するようになる。図２と図１との差異点は、ＵＥが同時に２つのセルから転送される信号２００及び２１０を受信するようになるということである。このように、ＵＥが同時に２つのセルから転送される信号２００及び２１０を受信する場合、各セルから転送されるＣＲＳ及び制御領域信号を考慮してＰＤＳＣＨが転送されなければならない。一例に、図２でＵＥはセル０のＣＲＳ及び制御領域のための無線資源とセル２のＣＲＳ及び制御領域のための無線資源を除外した残りの部分でＰＤＳＣＨを受信する。
【００３０】
一方、ＵＥが２つのセルから転送される信号２００及び２１０を受信する時、ＰＤＳＣＨを受信することに用いる無線資源２２０は、一例に、図１のセル０で使われる無線資源１３０及びセル１で使われる無線資源１４０が結合された形態に構成できる。
【００３１】
ＵＥが複数個のセルで信号を受信する場合、各セルの制御領域及びＣＲＳがどのように設定されたかによって、ＰＤＳＣＨを転送することに用いられる無線資源が変わる。また、サブフレーム別に転送するセルを変更することができるＤＰＳ（Dynamic Point Selection）方式が使われる時にもＰＤＳＣＨを転送することに用いられる無線資源が変わる。ＤＰＳ方式が使われた協力転送の場合、ネットワークがシステム性能を最適化する観点で、どのセルからＵＥにＰＤＳＣＨを転送するかを決定する。
【００３２】
図３は、ＤＰＳ方式が使われる場合、ＵＥがＰＤＳＣＨ受信のために使用可能な無線資源を示す図である。
【００３３】
図３を参照すると、ＵＥは、セル０、セル１、セル２のうちの１つからＰＤＳＣＨを受信することができる。したがって、どのセルからＰＤＳＣＨ信号が転送されるか否かによって、ＵＥがＰＤＳＣＨ信号を受信するために使用可能な無線資源は変わるようになる。ＵＥがＰＤＳＣＨ信号を受信するために使用可能な無線資源はＰＤＳＣＨが始まるＯＦＤＭシンボルの位置とＣＲＳの個数及び位置に基づいて決定される。
【００３４】
一例に、図３のように、セル１がＵＥにＰＤＳＣＨ信号３００を転送する場合、ＵＥはＰＤＳＣＨ信号を受信するために、セル１に対応する無線資源３２０を使用しなければならない。これとは異なり、セル０がＵＥにＰＤＳＣＨ信号を転送する場合、ＵＥはＰＤＳＣＨ信号を受信するためにセル０に対応する無線資源３１０を使用しなければならず、セル２がＵＥにＰＤＳＣＨ信号を転送する場合、ＵＥはＰＤＳＣＨ信号を受信するためにセル２に対応する無線資源３３０を使用しなければならない。一方、ＣｏＭＰ方式が使われない移動通信システムでは、ＵＥがいつも同一なセルからＰＤＳＣＨ信号を受信するため、このような事項は適用されない。
【００３５】
一般的に、ダウンリンクでＵＥがＰＤＳＣＨ信号を受信してデータを復元するためには、ＰＤＳＣＨ信号が転送されることに用いられた無線資源を正確に知っていなければならない。どの周波数及び時間資源を使用してＰＤＳＣＨ信号が転送されるかを知らない場合、ＵＥはＰＤＳＣＨ信号に含まれたデータを成功的に復元させることができない。したがって、図２及び図３のように、ＣｏＭＰ転送を受信するＵＥは各セルで使用可能な無線資源を正確に把握し、これを用いてＰＤＳＣＨが転送できる無線資源を判断することが必要である。
【００３６】
図３は、同一な周波数帯域で協力転送が遂行される場合に該当するが、複数個の周波数帯域を使用してＵＥにデータを転送するＣＡが使われる場合にも適用できる。移動通信システムでＣＡが使われる場合、ネットワークはＵＥにＰＤＣＣＨを用いてＣＩＦ（Carrier Indicator Field）を転送する。ＣＩＦは総３ビットの情報を有し、５個の搬送波のうち、どれをＵＥが受信するかを指示する。＜表１＞はＣＩＦがＵＥに指示する情報を表した表である。
【００３７】
【表１】
2018014768.tif 000003
【００３８】
＜表１＞で、ＣＩＦが‘０００’の場合、ＵＥは基本搬送波（primary carrier）でＰＤＳＣＨを受信しなければならないことを判断する。そして、ＵＥは基本搬送波でＰＤＳＣＨを受信する時、基本搬送波でＰＣＦＩＣＨが指定する値に基づいてＰＤＳＣＨが始まるＯＦＤＭシンボルを決定する。即ち、ＵＥはＣＩＦが‘０００’の場合、基本搬送波である‘Carrier A’でＰＤＳＣＨを受信し、ＰＣＦＩＣＨが制御領域のサイズをｎとして指示する場合、ＰＤＳＣＨをｎ＋１番目のＯＦＤＭシンボルから受信するようになる。
【００３９】
一方、ＣＩＦが‘００１’、‘０１０’、‘０１１’、及び‘１００’の場合、ＵＥは各々‘Carrier B’、‘Carrier C’、‘Carrier D’、及び‘Carrier E’でＰＤＳＣＨが受信されることを判断し、ＰＤＳＣＨが始めるＯＦＤＭシンボルを上位シグナリングで予め設定された値と仮定する。上記ＣＩＦは、ＵＥがＣＡを使用する場合のみに転送される。即ち、ＵＥがいつも１つの周波数帯域のみでデータを受信することができる場合、ＣＩＦはＵＥに転送されない。
【００４０】
ＣｏＭＰ方式が使われる移動通信システムにおいて、実際ダウンリンク通信のためのセルの最適の組合はトラフィック及び無線チャンネルの状況によって瞬間的に変わることができる。一例に、ＬＴＥ−Ａシステムのように毎１millisecond（msec）毎にスケジューリングが遂行される移動通信システムの場合、１msec単位でＣｏＭＰ方式のためのセルが変わることができる。
【００４１】
一般的に、ＣｏＭＰ方式が使われる場合、ネットワークは各ＵＥ別に該当ＵＥに信号を転送することができるセルの集合（以下、ＣｏＭＰセット（CoMP set））を設定する。ＣｏＭＰセットは、各ＵＥの位置によってＵＥ別に異なるように設定できる。一例に、図２でＵＥはＣｏＭＰセットが{セル０、セル１、セル２}に設定された状態で実際の転送はセル０及びセル２から受信するケースに該当する。
【００４２】
図３は、ＣｏＭＰセットが{セル０、セル１、セル２}に設定された状態で発生可能な転送方式のうちの１つを示している。図３では、どのセルでＰＤＳＣＨが転送されるかによってＰＤＳＣＨのための無線資源が変わるようになる。これは、セル０でＰＤＳＣＨ転送のために使われる無線資源３１０と、セル１でＰＤＳＣＨ転送のために使われる無線資源３２０と、セル２でＰＤＳＣＨ転送のために使われる無線資源３３０とが互いに相異するためである。
【００４３】
図３のＣｏＭＰ転送方式は、図１のｎｏｎ−ＣｏＭＰ転送方式とは異なり、上位シグナリングによるハンドオーバー無しでＵＥがセル０、セル１、セル２のうち、いずれか１つのセルでＰＤＳＣＨを受信することができるようにする。一般的に、ＣｏＭＰ転送方式がサポートされないシステムでは、１つのセルでＰＤＳＣＨを受信していたＵＥは他のセルでＰＤＳＣＨを受信するためには上位シグナリングが伴われたハンドオーバーステップが遂行されなければならない。しかしながら、ハンドオーバーステップは時間がかかり、失敗可能性が存在する。
【００４４】
一方、ＣｏＭＰ転送方式がサポートされるシステムでは、ＵＥがセル０、セル１、セル２のうちの１つから信号を受信してから上位シグナリングを伴ったハンドオーバー無しでセル０、セル１、セル２のうちの他の１つから信号を受信することができる。これは、ＣｏＭＰ転送方式がサポートされるシステムの場合、複数のセルの送受信を制御する中央集中型制御機が存在するためである。
【００４５】
図３で、ＵＥが上位シグナリング無しで１つのセルから信号を受信してから他のセルから信号を受信する場合、ＵＥは事前にどんなセルからＰＤＳＣＨが転送されるか知らなくなる。図１の１３０、１４０、１５０に示すように、各セル別にＰＤＳＣＨを転送することに利用できる無線資源が異なるが、ＵＥはこれに対する情報を予め受信することが不可能である。従って、ＵＥにＰＤＳＣＨを転送する度に該当ＰＤＳＣＨがどんな無線資源を用いるかを指示する別途の制御チャンネルが必要である。該当制御チャンネルは、上位シグナリングの形態でないＬＴＥ−Ａに定義されたＰＤＣＣＨ（Physical Downlink Control Channel）またはＥ−ＰＤＣＣＨ（Enhanced Physical Downlink Control Channel）のような制御チャンネルになることができる。
【００４６】
図４は、ＣｏＭＰセットが設定された状態で使用可能な転送方式の一例を示す図である。
【００４７】
図４を参照すると、ＣｏＭＰセットが{セル０、セル１、セル２}に設定された場合、ＵＥはセル１及びセル２から各々信号４００及び４１０を受信する。即ち、ＵＥは２つのセルからＰＤＳＣＨ信号を受信する。セル１及びセル２からＰＤＳＣＨが転送されるために使われる無線資源は図面符号４２０に表れた通りである。
【００４８】
図３の場合と同様に、図４ではＵＥに同時転送するセルは固定されておらず、中央集中型制御機のスケジューリングによって変わることができる。例えば、図４に示すように、セル１及びセル２でＰＤＳＣＨが転送されてから中央集中型制御機の判断によって次の転送はセル２及びセル３でＰＤＳＣＨが転送できる。このように、転送セルが変更されるステップは、図３と同様に、別途の上位シグナリングが伴われたハンドオーバーステップ無しでなされる。図４の場合、ある２つのセルがＵＥに転送するか否かによって、図３と同様に、ＰＤＳＣＨが転送される無線資源が変わる。したがって、ＵＥにＰＤＣＣＨのような制御チャンネルを用いて、前述したように、どんな無線資源を使用してＰＤＳＣＨが転送されるかを通報する必要がある。
【００４９】
図５は、ＣｏＭＰセットが設定された状態で使用可能な転送方式の他の一例を示す図である。
【００５０】
図５を参照すると、ＣｏＭＰセットが{セル０、セル１、セル２}に設定された場合、ＵＥは、セル０、セル１、セル２から各々信号５００、５１０、５２０を受信する。即ち、ＵＥはＣｏＭＰセット内の全てのセルからＰＤＳＣＨ信号を受信する。セル０、セル１、セル２からＰＤＳＣＨが転送されるために使われる無線資源は、図面符号５３０に表れた通りである。
【００５１】
図３、図４、及び図５のような転送方式は、中央集中型制御機の制御によって遂行できる。即ち、中央集中型制御機が１つのセルからＵＥに信号を転送することを決定する場合、図３のようなＰＤＳＣＨ転送が遂行できる。これとは異なり、中央集中型制御機が全てのセルからＵＥに信号を転送することを決定した場合、図５のようなＰＤＳＣＨ転送が遂行できる。結果的に、中央集中型制御機の判断によって、どんなセルがＵＥに信号を転送するか否かとＵＥに信号を転送するセルの個数が決定できる。
【００５２】
本発明の実施形態では、図３、図４、及び図５のように多様なセルの組合が可能なＣｏＭＰ転送方式が使われる場合、ＵＥにどんなＰＤＳＣＨ転送がどんな無線資源を用いてなされるかに対する情報をＵＥに転送する方法を提案する。
【００５３】
ＵＥがどんな無線資源を用いてＰＤＳＣＨが転送されるかを正確に判断するためには、ＣＲＳ構成情報（CRS configuration）及び制御領域のサイズ情報などが必要である。
【００５４】
本発明の実施形態によれば、ＰＤＳＣＨが転送される無線資源を判断するための手続きは次の通りである。まず、中央集中型制御機でＵＥのＣｏＭＰセットを設定する。ＵＥのＣｏＭＰセットは、ＵＥの位置、使用可能なｅＮＢ、無線通信システムのトラフィック状況などに基づいて決定される。上記のようにＣｏＭＰセットが決定されれば、中央集中型制御機は上位シグナリングを用いて各セル別にＰＤＳＣＨとして使用できない無線資源を判断するために、次のような３種類のタイプの情報をＵＥに転送する。第１タイプの情報は、ＣＲＳ情報（ＣＲＳアンテナポート数（CRS antenna port数）、ＣＲＳ周波数領域オフセット（CRS frequency domain offset）である。第２タイプの情報は、ＭＢＳＦＮ（Multicast Broadcast Single Frequency Network）サブフレーム（MBSFN subframe）情報（どのサブフレームがＭＢＳＦＮサブフレームであるかに対する情報）である。第３タイプの情報は、ＰＤＳＣＨ開始ＯＦＤＭシンボル情報である。
【００５５】
上記３種類の情報のうち、第１タイプの情報は各セル別に転送されるＣＲＳの位置を正確に判断するために必要である。各セルのＣＲＳは、ＣＲＳのアンテナポート数とＣＲＳが周波数領域でどんなオフセット値に設定されるかによって決定される。上記周波数領域で、どんなオフセット値を有するかは、一例に、ＬＴＥ／ＬＴＥ−Ａシステムの場合、０から５までの整数値を有するv_shiftという変数により決定される。
【００５６】
上記３種類の情報のうち、第２タイプの情報は、どのサブフレームでＣＲＳが転送されるかを判断するための情報である。ＬＴＥ−Ａシステムの場合、ダウンリンクで毎１msec単位で転送を遂行するが、これをサブフレームという。また、ＬＴＥ−Ａシステムの場合、ＭＢＳＦＮサブフレームという特殊サブフレームを設定して該当サブフレームでは３番目ＯＦＤＭシンボルからＣＲＳを転送しない。各セルはＭＢＳＦＮサブフレームが周期的に転送されるように設定することができ、第２タイプの情報はこれに対する情報を含む。
【００５７】
上記３種類の情報のうち、第３タイプの情報はＵＥが何番目のＯＦＤＭシンボルからＰＤＳＣＨが受信されると仮定するかに対する情報である。一般的に、ＣｏＭＰ方式がサポートされない場合、ＵＥは１つのセルのみでＰＤＳＣＨを受信するため、該当セルのＰＣＦＩＣＨによってＰＤＳＣＨ開始ＯＦＤＭシンボルを判断する。しかしながら、ＣｏＭＰ方式がサポートされる場合、ＵＥはネットワークの判断によって時間別に異なるセルからＰＤＳＣＨを受信することができるので、特定セルのＰＣＦＩＣＨによってＰＤＳＣＨ開始ＯＦＤＭシンボルを判断する場合、誤動作を起こし、システム性能を低下させることがある。
【００５８】
各セル別に固有のサブフレーム単位のタイムオフセット値を設定することができる。具体的に、特定サブフレームの無線資源を決定するためには、各セルのＭＢＳＦＮサブフレームが何時発生されるかを知らなければならず、第３タイプの情報はこれを判断するための情報を含む。本発明の実施形態に従って、上記３種類の情報、即ち第１タイプの情報、第２タイプの情報、第３タイプの情報は、全てＵＥに転送されることができ、これと異なり、上記３種類のうちの一部のみＵＥに転送できる。
【００５９】
第１タイプの情報、第２タイプの情報、第３タイプの情報が上位シグナリングでＵＥに転送された後、ＣｏＭＰ転送が幾つのセルとどんなセルでなされるかに対する情報がＵＥに転送できる。この場合、ＵＥはどんな無線資源がＰＤＳＣＨの転送に用いられるかを判断できるようになる。
【００６０】
したがって、本発明の実施形態では２ビットを用いてＵＥにどんなＲＥ（Resource Element）がＣＲＳのために使用されるかと、ＰＤＳＣＨが転送されるＯＦＤＭシンボルの位置情報をＵＥに転送することができ、具体的に、以下の＜表２＞のような情報がＵＥに転送される。
【００６１】
【表２】
2018014768.tif 000004
【００６２】
ネットワークは＜表２＞に示すように、２ビットで表現可能な４個の状態（state）別に異なるＣＲＳ構成とＰＤＳＣＨ開始位置（PDSCH starting position）を上位シグナリングで予め設定して置くことができる。そして、ネットワークは上記４個の２ビットに対する情報をＰＤＣＣＨまたはＥ−ＰＤＣＣＨでＵＥに転送することによって、ＵＥがどんな無線資源を使用してＰＤＳＣＨを受信するかを判断できるようにする。
【００６３】
＜表２＞で、ＣＲＳ構成はＣＲＳが幾つのアンテナポートからなっているかと、どんなv_shift値を有するかに対する情報を含む。また、ＭＢＳＦＮ構成はどのサブフレームがＭＢＳＦＮサブフレームであるかに対する情報を含む。
【００６４】
本発明の実施形態で提案するＰＤＳＣＨ開始位置を判断する方法は、次の３種類の方法を含む。次の３種類の方法は、ＵＥがＰＤＳＣＨ開始位置を判断できるようにする方法であって、ＣＲＳ構成と関連した情報は別途の方法によりＵＥに転送されると仮定する。
【００６５】
ＰＤＳＣＨ開始位置を判断できるようにする最初の方法は、ネットワークがＰＤＣＣＨ／Ｅ−ＰＤＣＣＨを用いてＵＥにＰＤＳＣＨ開始位置を決定できるようにする情報を転送する方法である。次の＜表３＞はＵＥに転送されるＰＤＳＣＨ開始位置に対する情報を含むメッセージを表したものである。
【００６６】
【表３】
2018014768.tif 000005
【００６７】
＜表３＞に表れたＰＤＳＣＨ開始位置に対する情報は総４個の状態（state）を含むので、ＰＤＳＣＨ開始位置に対する情報は２ビットでＵＥに転送できる。
【００６８】
ＰＤＳＣＨ開始位置を判断できるようにする２番目の方法は、ネットワークがＰＤＣＣＨ／Ｅ−ＰＤＣＣＨを用いてＵＥにＰＤＳＣＨ開始位置を決定できるようにする情報を転送する更に他の方法である。次の＜表４＞はＵＥに転送されるＰＤＳＣＨ開始位置に対する情報を含むメッセージを表したものである。
【００６９】
【表４】
2018014768.tif 000006
【００７０】
＜表４＞に表れたＰＤＳＣＨ開始位置に対する情報は２つの状態（state）を含むので、ＰＤＳＣＨ開始位置に対する情報は１ビットでＵＥに転送できる。一例に、ＵＥは状態０が転送される場合、自身が受信するＰＣＦＩＣＨによってＰＤＳＣＨ開始位置を決定する。即ち、ＰＣＦＩＣＨが制御領域のサイズをｎと指示する場合、ＵＥはＰＤＳＣＨをｎ＋１番目ＯＦＤＭシンボルから受信する。一方、ＵＥは状態１が転送される場合、上位シグナリングを用いて予め設定された値（または、ＵＥとネットワークとの間に約束された定数値）をＰＤＳＣＨ開始位置と決定する。
【００７１】
ＰＤＳＣＨ開始位置を判断できるようにする３番目の方法は、ネットワークがＵＥに設定したＣｏＭＰ測定セット（CoMP measurement set）のＣＳＩ−ＲＳ設定に基づいてＰＤＳＣＨ開始位置を判断する方法である。ＣｏＭＰ測定セットは、ＵＥがネットワークの協力送受信動作をサポートするために測定しなければならないＣＳＩ−ＲＳの集合を示す。ＵＥは、複数個のＣＳＩ−ＲＳに対する無線チャンネル情報をネットワークに伝達することによって、ネットワークが協力送受信を遂行することができるようにする。
【００７２】
このようなＣｏＭＰ測定セットを設定するために、ネットワークはＣＳＩ−ＲＳ別にどんなセルＩＤを使用するかをＵＥに知らせなければならない。上記セルＩＤは、ＵＥがＣＳＩ−ＲＳ別に遂行するスクランブリング（scrambling）のためのスクランブリングシーケンス（scrambling sequence）を生成することに用いられる。無線通信システムにおいて、スクランブリングシーケンスを生成するためには、該当スクランブリングシーケンスの初期状態値が必要であるが、この値はセルＩＤに基づいて決定される。
【００７３】
ＵＥは、ＣＳＩ−ＲＳ別に設定されるセルＩＤを考慮してＰＤＳＣＨ開始位置を決定することができる。即ち、ＣＳＩ−ＲＳ別に設定されるセルＩＤが全てサービングセルの物理的なセルＩＤ値と同一な場合、ＵＥは自身が受信するＰＣＦＩＣＨによってＰＤＳＣＨ開始位置を決定する。一方、ＣＳＩ−ＲＳ別に設定されるセルＩＤに少なくとも１つがサービングセル（serving cell）の物理セルＩＤ（physical cell ID）値と異なる場合、ＵＥは上位シグナリングを用いて予め設定された値をＰＤＳＣＨ開始位置と決定する。
【００７４】
上記のようにＣＳＩ−ＲＳ別に設定されるセルＩＤに基づいてＰＤＳＣＨ開始位置を決定する理由は、全てのセルＩＤがサービングセルの物理的セルＩＤと同一な場合、これは１つのセル内で動作される分散アンテナシステムに該当するためである。一般的に、１つのセル内で動作される分散アンテナシステムでは、ＰＣＦＩＣＨを用いてＵＥがＰＤＳＣＨ開始位置を決定することができる。
【００７５】
ＰＤＳＣＨ開始位置判断方法３の長所は、別途の制御情報がＰＤＣＣＨまたはＥ−ＰＤＣＣＨを用いてＵＥに伝達される必要がないという点である。しかしながら、ＰＤＣＣＨまたはＥ−ＰＤＣＣＨを用いてＰＤＳＣＨ開始位置を判断できるようにすることもできる。即ち、ＤＣＩ（Downlink Control Information）にＰＤＳＣＨ開始位置を判断できるようにする情報を含めて転送することによって、ＵＥがＰＤＳＣＨ開始位置を判断できるようにする。これを図６を参照して具体的に説明する。
【００７６】
図６は、本発明の実施形態に従うＰＤＣＣＨまたはＥ−ＰＤＣＣＨを用いてＰＤＳＣＨ開始位置を判断する方法を示す順序図である。
【００７７】
ＵＥは、ステップ６００でＤＣＩが受信されれば、受信されたＤＣＩに含まれた１ビットのフィールド値が‘０’か否かを判断する。ＵＥは、受信されたＤＣＩに含まれた１ビットのフィールド値が‘０’と判断されれば、ステップ６１０に進行してＰＤＳＣＨ開始位置をＰＣＦＩＣＨにより指示された値に設定する。ここで、ＰＣＦＩＣＨにより指示された値はＵＥがＰＤＣＣＨを複号できるように制御領域を指示するための値を含むか、またはＵＥがＰＤＳＣＨを複号できるようにデータ領域の開始時点を指示するための値を含むことができる。
【００７８】
一方、ＵＥは受信されたＤＣＩに含まれた１ビットのフィールド値が‘０’でない値（一例に、‘１’）であると判断されれば、ステップ６２０に進行してＰＤＳＣＨ開始位置を予め決定された値に設定することができる。
【００７９】
上記のような方法が使われる場合、ＤＣＩの１ビット値のみ使われるので、大きいオーバーヘッド無しでＰＤＳＣＨ開始位置に対する情報を提供できるようになる。
【００８０】
ＣＡとＣｏＭＰとが同時に運営される状況でＰＤＳＣＨ開始位置判断方法は、次の通りである。
【００８１】
ＣＡとＣｏＭＰとは同時に運営できる。そして、ＵＥは１つ以上の周波数帯域で信号の受信を受けて、各々の周波数帯域では複数個の転送地点が協力送受信を遂行するものである。このように、ＣＡとＣｏＭＰとが同時に運用される場合、ＵＥはＰＤＣＣＨまたはＥ−ＰＤＣＣＨを用いて上記＜表１＞で整理されたＣＩＦとＣｏＭＰのための制御情報を同時に受信するようになる。
【００８２】
図７は、本発明の実施形態に従うＣＩＦとＣｏＭＰのための制御情報を示す図である。
【００８３】
図７を参照すると、ＣｏＭＰ制御情報には、上記＜表１＞、＜表２＞、＜表３＞で整理したＰＤＳＣＨ開始位置に対する情報、即ち、３ビットのＣＩＦ７００、ＣｏＭＰ制御情報７１０、及びその他の制御情報７２０が含まれる。このように、ＣＡのためのＣＩＦとＣｏＭＰに対する情報が同時にＵＥに伝達される場合、２つの情報をどのように用いてＵＥがＰＤＳＣＨ開始位置を判断するかが重要な問題となる。この２つの情報は全てＰＤＳＣＨ開始位置と関連した情報を有している。したがって、ＵＥはＣＩＦを用いて判断したＰＤＳＣＨ開始位置とＣｏＭＰ制御情報で判断したＰＤＳＣＨ開始位置とが互いに異なるようにすることもできる。これを防止するためには、上記２つのＰＤＳＣＨ開始位置のうち、どれが優先順位を有するかをＵＥに通報することが必要である。
【００８４】
本発明の実施形態によれば、ＣｏＭＰ制御情報に優先順位情報が含まれる。即ち、ＵＥはＣｏＭＰ制御情報に含まれた優先順位を考慮してＰＤＳＣＨ開始位置を判断するものである。＜表５＞はＣＩＦとＣｏＭＰ制御情報を受信して優先順位に基づいてＰＤＳＣＨ開始位置を判断できるようにする情報を表した表である。
【００８５】
【表５】
2018014768.tif 000007
【００８６】
＜表５＞のような情報が使われる場合、ＵＥはＰＤＣＣＨまたはＥ−ＰＤＣＣＨを通じて２ビットのＣｏＭＰ制御情報を受信する。２ビットのＣｏＭＰ制御情報は＜表５＞のような４種類の状態のうちの１つをＵＥに通報するために使われる。最初の状態が通報される場合、ＵＥはＣＩＦの存在の有無によって次のような動作を遂行する。
【００８７】
ＣＩＦが存在する場合、ＵＥは＜表１＞のようにＣＩＦにより指定されるＰＤＳＣＨ開始位置を仮定する。
【００８８】
ＣＩＦが存在しない場合、ＵＥはＰＣＦＩＣＨで通報する値によってＰＤＳＣＨ開始位置を仮定する。
【００８９】
上記では、状態０の場合、ＰＣＦＩＣＨによってＰＤＳＣＨ開始位置を決定することを提案しているが、本発明の実施形態ではＰＣＦＩＣＨに従わないで上位シグナリングにより設定される値によってＰＤＳＣＨ開始位置を決定する場合も含む。状態０の以外の状態がＵＥに通報される場合、ＵＥは＜表５＞のように上位シグナリングで予め設定された値によってＰＤＳＣＨ開始位置を決定する。
【００９０】
＜表５＞は、ＣｏＭＰ制御情報がＰＤＳＣＨ開始位置のみを通報する場合に使われることができ、ＣｏＭＰ制御情報がＰＤＳＣＨ開始位置の以外にＭＢＳＦＮサブフレーム構成（MBSFN subframe configuration）、ＣＲＳ構成などに対する情報をＵＥに通報する場合にも適用できる。
【００９１】
次の＜表６＞は、本発明の実施形態に従って、ＰＤＳＣＨ開始位置の以外にＭＢＳＦＮサブフレーム構成、ＣＲＳ構成などに対する情報を含むＣｏＭＰ制御情報を表した表である。
【００９２】
【表６】
2018014768.tif 000008
【００９３】
図８は、本発明の実施形態に従うＵＥにＰＤＳＣＨの開始位置を通報する方法を示す順序図である。
【００９４】
図８を参照すると、ＵＥはステップ８００でＰＤＣＣＨまたはＥ−ＰＤＣＣＨを用いてＤＣＩを受信する。そして、ＵＥはステップ８１０でＤＣＩにＣＦＩが含まれたか否かを判断する。ＵＥは、ＤＣＩにＣＦＩが含まれない場合、ステップ８３０に進行してＣｏＭＰ制御情報が指示するＰＤＳＣＨ開始位置を用いる。この際、ＣｏＭＰ制御情報が指示するＰＤＳＣＨ開始位置は前述した＜表５＞または＜表６＞の通りである。
【００９５】
一方、ＤＣＩにＣＩＦが含まれた場合、ＵＥはＣｏＭＰ制御情報がどの状態を指示するか否かによって異なるように動作する。したがって、ＵＥはＤＣＩにＣＩＦが含まれた場合、ステップ８２０でＣｏＭＰ制御情報が‘００’か否かを判断する。
【００９６】
ＵＥは、ＣｏＭＰ制御情報が‘００’の場合、ステップ８４０に進行してＣＩＦが指定するＰＤＳＣＨ開始位置を用いる。この際、ＣＩＦが指定するＰＤＳＣＨ開始位置は、前述した＜表１＞の通りである。ＵＥは、ＣｏＭＰ制御情報が‘００’でない場合、ステップ８３０に進行してＣｏＭＰ制御情報が指示するＰＤＳＣＨ開始位置を用いる。
【００９７】
ページング（paging）またはシステム情報（System Information）ＰＤＳＣＨを受信する場合、ＰＤＳＣＨ開始位置判断方法は、次の通りである。
【００９８】
一般的なセルラー移動通信システムにおいて、ＵＥはページング及びシステム情報と関連したデータを受信できなければならない。このようなページング及びシステム情報はＣｏＭＰ動作をサポートする新たなＵＥだけでなく、以前の標準に基づいて生産されたＵＥも同様に受信しなければならない情報である。このように、従来の標準に基づいて生産されたＵＥと新たな標準に基づいて生産されたＵＥとが同時に受信しなければならないデータ信号は、転送方式を従来のＵＥに合せて遂行する。即ち、新たな標準で新たな転送方式が導入されたとしても、このような転送方式はページングまたはシステム情報を送信する時には適用されない。代わりに、従来の標準に定義された転送方式を用いるようになる。
【００９９】
上記ＣｏＭＰ動作をサポートするＵＥの場合、新たな標準に基づいてＰＤＳＣＨ開始位置を上記で提案した本発明に従って仮定することができる。しかしながら、このようなＰＤＳＣＨ開始位置決定方法をページングまたはシステム情報を受信する間には適用できなくなる。ＵＥは、このようにページングまたはシステム情報を受信する時には従来の標準に基づいたＰＤＳＣＨ開始位置を適用しなければならない。
【０１００】
本発明の実施形態では、ＵＥがＰＤＳＣＨ開始位置をページングまたはシステム情報の受信するか否かによって異なるように適用する方法を提案する。
【０１０１】
図９は、本発明の実施形態に従うＵＥがＰＤＳＣＨ開始位置をページングメッセージ（paging message）またはシステム情報メッセージ（system information message）の受信するか否かによって、異なるように適用する方法を示す順序図である。
【０１０２】
図９を参照すると、ステップ９００でＵＥはＰＤＣＣＨまたはＥ−ＰＤＣＣＨに転送されるＤＣＩを受信するために、該当チャンネルに対する複号化を遂行する。ＵＥは、複号結果に誤りがあるか否かを判断するために、ＣＲＣ（Cyclic Redundancy Check）を使用する。ここで、ＣＲＣはＤＣＩのように転送される符号化シンボルであって、ＤＣＩが誤り無しで複号化されるかを判断するために使われる。無線通信システムでは、ｅＮＢがＵＥにＣＲＣを転送する時、ＣＲＣをＵＥのＲＮＴＩ（Radio Network Temporary Identifier）でスクランブリングする。この際、使われるＲＮＴＩは該当ＰＤＣＣＨ／Ｅ−ＰＤＣＣＨが通報するＰＤＳＣＨの種類によって次のように変わる。
【０１０３】
ＰＤＳＣＨがページングメッセージをＵＥに伝達する場合：ページングＲＮＴＩ（Ｐ−ＲＮＴＩ）
【０１０４】
ＰＤＳＣＨがシステム情報メッセージをＵＥに伝達する場合：システム情報ＲＮＴＩ（ＳＩ−ＲＮＴＩ）
【０１０５】
ＰＤＳＣＨがＵＥ専用データ信号をＵＥに伝達する場合：セルＲＮＴＩ（Ｃ−ＲＮＴＩ）
【０１０６】
ＵＥは、ＰＤＣＣＨ／Ｅ−ＰＤＣＣＨを複号化後、誤りの有無を判断するためにＣＲＣをＰ−ＲＮＴＩ、ＳＩ−ＲＮＴＩ、Ｃ−ＲＮＴＩに各々デスクランブリング（descrambling）し、これを用いて誤りの有無（error detection）を判断する。この際、ｅＮＢがＣＲＣを転送する時に使用したＲＮＴＩと異なる種類のＲＮＴＩがデスクランブリングに用いられる場合、誤りが起こることと判断されるが、同一なＲＮＴＩがデスクランブリングに用いられる場合、誤りがないことと判断できる。
【０１０７】
このような特性を用いるために、ＵＥはステップ９１０で受信したＤＣＩに対するＣＲＣを用いて誤りの有無を判断する。ステップ９１０で、Ｃ−ＲＮＴＩを用いたデスクランブリングを適用した時、誤りがないことと判断される場合、ＵＥはステップ９２０で本発明の実施形態で提案するＰＤＳＣＨ開始位置決定方法（例：＜表２＞、＜表３＞、＜表４＞、＜表５＞、＜表６＞）を用いる。
【０１０８】
一方、ＵＥはステップ９１０でＰＩ−ＲＮＴＩまたはＳＩ−ＲＮＴＩを用いたデスクランブリングを適用した時、誤りがないことと判断される場合、ステップ９３０に進行して一般的なＰＤＳＣＨ開始位置決定方法を用いる。一般的なＰＤＳＣＨ開始位置決定方法とは、ＣｏＭＰ制御情報により指示されることに関わらず、サービングセルのＰＣＦＩＣＨが指示する値によってＰＤＳＣＨ開始位置を決定する方法を示す。即ち、ＰＣＦＩＣＨが制御領域（control region）のサイズを２とすれば、ＵＥはＰＤＳＣＨ開始位置が３番目のＯＦＤＭシンボルから始めると仮定するものである。
【０１０９】
図１０は、本発明の実施形態に従うｅＮＢの内部構成図である。
【０１１０】
図１０を参照すると、ｅＮＢは、制御部１０００、送信部１０１０、受信部１０２０、及びメモリ１０３０を含む。
【０１１１】
制御部１０００は、送信部１０１０、受信部１０２０、及びメモリ１０３０を制御することによって、ｅＮＢの全般的な動作を制御する。送信部１０１０及び受信部１０２０は、ＵＥとの無線通信を遂行し、メモリ１０３０はｅＮＢの動作により生成または受信される多様な情報を格納する。
【０１１２】
本発明の実施形態に従うＰＤＳＣＨ開始位置に対する情報を転送する動作を遂行するために、送信部１０１０は図１１に示すように、ＰＤＣＣＨ／Ｅ−ＰＤＣＣＨ信号発生器１１１０、ＣＲＣ生成器、及びＣＲＣスクランブラー１１２０、ＰＤＳＣＨ信号発生器１１３０、及びＰＣＦＩＣＨ信号発生器１１４０を含む。
【０１１３】
制御部１０００は、特定サブフレーム及びＲＢ内のＣＲＳオーバーヘッド、制御領域のサイズに対して判断したり、関連情報を把握したりする。このような情報に基づいてＰＤＣＣＨ／Ｅ−ＰＤＣＣＨ信号発生器１１１０は、ＰＤＣＣＨ／Ｅ−ＰＤＣＣＨを介してどんな情報を転送するかを判断して該当信号を発生させる。また、制御部１０００はＰＣＦＩＣＨ信号発生器１１４０でＰＣＦＩＣＨを介してどんな情報を転送するかを判断して該当信号を発生させる。ＰＤＣＣＨ／Ｅ−ＰＤＣＣＨを介して転送される情報は、ＣＲＣ生成器及びＣＲＣスクランブラー１１２０で生成されたＣＲＣと共に転送され、ＣＲＣはＵＥにどんな情報が転送されるかによってＰ−ＲＮＴＩ、ＳＩ−ＲＮＴＩ、Ｃ−ＲＮＴＩのうちの１つにスクランブリングされる。また、該当ＰＤＣＣＨ／Ｅ−ＰＤＣＣＨによりスケジューリングされるＰＤＳＣＨはＰＤＳＣＨ信号発生器１１３０で生成される。
【０１１４】
図１２は、本発明の実施形態に従うＵＥの内部構成図である。
【０１１５】
図１２を参照すると、ＵＥは、ｅＮＢは制御部１２００、送信部１２１０、受信部１２２０、及びメモリ１２３０を含む。
【０１１６】
制御部１２００は、送信部１２１０、受信部１２２０、及びメモリ１２３０を制御することによって、ＵＥの全般的な動作を制御する。送信部１２１０及び受信部１２２０は、ｅＮＢとの無線通信を遂行し、メモリ１２３０はＵＥの動作により生成または受信される多様な情報を格納する。
【０１１７】
本発明の実施形態に従うＰＤＳＣＨ開始位置に対する情報を受信する動作を遂行するために、受信部１２２０は、図１３に示すように、ＰＤＣＣＨ／Ｅ−ＰＤＣＣＨ複号化器１３１０、ＣＲＣ誤り確認器、及びＣＲＣデスクランブラー１３２０、ＰＤＳＣＨ受信機１３３０、及びＰＣＦＩＣＨ受信機１３４０を含む。
【０１１８】
ＰＤＣＣＨ／Ｅ−ＰＤＣＣＨ複号化器１３１０は、ＰＤＣＣＨ／Ｅ−ＰＤＣＣＨを介して転送された制御情報を受信する。また、ＰＣＦＩＣＨ受信機１３４０はＰＣＦＩＣＨを介して転送された制御領域サイズに対する情報を受信する。ＰＤＣＣＨ／Ｅ−ＰＤＣＣＨ複号化器１３１０で複号化された制御情報は該当制御情報と同時に受信されたＣＲＣと共にＣＲＣ誤り確認器及びＣＲＣデスクランブラー１３２０に伝達される。ＣＲＣ誤り確認器及びＣＲＣデスクランブラー１３２０は、Ｐ−ＲＮＴＩ、ＳＩ−ＲＮＴＩ、Ｃ−ＲＮＴＩのうちのどのＲＮＴＩが利用されたかを判断して、その結果を制御部１２００に伝達する。制御部１２００は、ＰＤＣＣＨ／Ｅ−ＰＤＣＣＨを介して転送された制御情報及びＣＲＣ誤り確認器及びＣＲＣデスクランブラー１３２０により確認されたＲＮＴＩの種類に基づいてＰＤＳＣＨ開始位置を判断し、これをＰＤＳＣＨ受信機１３３０に伝達する。すると、ＰＤＳＣＨ受信機１３３０は制御部１２００から伝達を受けたＰＤＳＣＨ開始位置を用いてＰＤＳＣＨを受信する。
【０１１９】
一方、本発明の詳細な説明では具体的な実施形態に関して説明したが、本発明の範囲から逸脱しない限度内でさまざまな変形が可能であることは勿論である。したがって、本発明の範囲は説明された実施形態に限定されて定まってはならず、後述する特許請求範囲だけでなく、この特許請求範囲と均等なものにより定められるべきである。
【符号の説明】
【０１２０】
１００  データ信号
１１０  データ信号
１２０  データ信号
１３０  無線資源
１４０  無線資源
１５０  無線資源
２００  信号
２２０  無線資源
３００  信号
３１０  無線資源
３２０  無線資源
３３０  無線資源
４００  信号
４１０  信号
４２０  図面符号
５００  信号
５１０  信号
５２０  信号
５３０  図面符号
７００  ３ビットのＣＩＦ
７１０  制御情報
７２０  制御情報
１０００  制御部
１０１０  送信部
１０２０  受信部
１０３０  メモリ
１１１０  ＰＤＣＣＨ／Ｅ−ＰＤＣＣＨ信号発生器
１１２０  ＣＲＣ生成器及びＣＲＣスクランブラー
１１３０  ＰＤＳＣＨ信号発生器
１１４０  ＰＣＦＩＣＨ信号発生器
１２００  制御部
１２１０  送信部
１２２０  受信部
１２３０  メモリ
１３１０  ＰＤＣＣＨ／Ｅ−ＰＤＣＣＨ複号化器
１３２０  ＣＲＣ誤り確認器及びＣＲＣデスクランブラー
１３３０  ＰＤＳＣＨ受信機
１３４０  ＰＣＦＩＣＨ受信機
【図１】
2018014768.tif 000009
【図２】
2018014768.tif 000010
【図３】
2018014768.tif 000011
【図４】
2018014768.tif 000012
【図５】
2018014768.tif 000013
【図６】
2018014768.tif 000014
【図７】
2018014768.tif 000015
【図８】
2018014768.tif 000016
【図９】
2018014768.tif 000017
【図１０】
2018014768.tif 000018
【図１１】
2018014768.tif 000019
【図１２】
2018014768.tif 000020
【図１３】
2018014768.tif 000021